(57)【要約】【課題】ねじ立てトルクを低減させ、発熱や溶着を防止した盛上げタップを提供することにある。【解決手段】ねじ部２が、先細りのテーパ状になっている食付き部３とその食付き部に連続する平行ねじ部４とを有する盛上げタップにおいて、前記平行ねじ部４に、前記食付き部３に隣接して盛上げを安定させる盛上げ安定部４ａとその盛上げ安定部４ａより後方のガイド部４ｂとを設け、前記ガイド部４ｂを０．０３ｍｍ以上で０．０８ｍｍ以下のねじ径寸法差で前記盛上げ安定部４ａより細くしたことを特徴とする盛上げタップである。【選択図】        図１
2004174607.tif 000002
【特許請求の範囲】
【請求項１】
ねじ部が、先細りのテーパ状になっている食付き部とその食付き部に連続する平行ねじ部とを有する盛上げタップにおいて、
前記平行ねじ部に、前記食付き部に隣接して盛上げを安定させる盛上げ安定部とその盛上げ安定部より後方のガイド部とを設け、
前記ガイド部を０．０３ｍｍ以上で０．０８ｍｍ以下の外径寸法差で前記盛上げ安定部より細くしたことを特徴とする、盛上げタップ。
【請求項２】
ねじ部が、先細りのテーパ状になっている食付き部とその食付き部に連続する平行ねじ部とを有する盛上げタップにおいて、
前記平行ねじ部に、前記食付き部に隣接して盛上げを安定させる盛上げ安定部とその盛上げ安定部より後方のガイド部とを設け、
前記ガイド部に３０分以上で２度以下のバックテーパをつけたことを特徴とする、盛上げタップ。
【請求項３】
前記ガイド部を、周方向に沿って一定の半径を持つねじとしたことを特徴とする、請求項１または２記載の盛上げタップ。
【発明の詳細な説明】
【０００１】
【発明の属する技術分野】
本発明は、雌ねじの塑性加工用の盛上げタップに関するものである。
【０００２】
【従来の技術】
従来の盛上げタップは、ねじ部が、図６の拡大断面図に示すように、先細りのテーパ状になっている食付き部３とその食付き部３に連続する平行ねじ部４とを有し、その平行ねじ部４の全体（全長）に渡って１０分程度の僅かな角度のバックテーパがつけられている。
【０００３】
【発明が解決しようとする課題】
ところで、盛上げタップによる雌ねじ加工は、盛上げタップのねじ部の食付き部でワークの下孔に食い付いた後、その食い付いた位置より後の食付き部でワークの下孔を弾塑性変形させて雌ねじを盛り上げてゆき、その食付き部に連続する平行ねじ部で塑性変形量を安定させることで、雌ねじを形成するので、ねじ立て中、一旦形成した雌ねじが弾性変形分縮径する。
【０００４】
しかしながら、前述した従来の盛上げタップの平行ねじ部４全体のバックテーパは、雌ねじが上記弾性変形分縮径しようとするのを殆ど許容しない１０分程度の僅かな角度であるため、弾性変形分縮径しようとして雌ねじが盛上げタップを締め付ける力を緩和するにはそのバックテーパでは足らず、それゆえ従来の盛上げタップは、ねじ立てトルクがねじ立て長さに比例して大きくなる傾向があり、ねじ立て長さが長い場合にその大きなねじ立てトルクにより発熱や溶着もひどくなるという問題があった。そしてこの問題の解決のために単に平行ねじ部４全体のバックテーパの角度を大きくしたのでは、盛上げを安定させることができず、ねじ山を充分に形成できなくなるという新たな問題が生じた。
【０００５】
本発明は、以上の事情を背景としてなされたもので、ねじ立てトルクを低減させて発熱や溶着を防止した盛上げタップを提供することを目的とする。
【０００６】
【課題を解決するための手段およびその作用・効果】
上述した目的を達成するため、請求項１記載の本発明の盛上げタップは、ねじ部が、先細りのテーパ状になっている食付き部とその食付き部に連続する平行ねじ部とを有する盛上げタップにおいて、前記平行ねじ部に、前記食付き部に隣接して盛上げを安定させる盛上げ安定部とその盛上げ安定部より後方のガイド部とを設け、前記ガイド部を０．０３ｍｍ以上で０．０８ｍｍ以下の外径寸法差で前記盛上げ安定部より細くしたことを特徴としている。
【０００７】
また請求項２記載の本発明の盛上げタップは、ねじ部が、先細りのテーパ状になっている食付き部とその食付き部に連続する平行ねじ部とを有する盛上げタップにおいて、前記平行ねじ部に、前記食付き部に隣接して盛上げを安定させる盛上げ安定部とその盛上げ安定部より後方のガイド部とを設け、前記ガイド部に３０分以上で２度以下のバックテーパをつけたことを特徴としている。
【０００８】
これら本発明の盛上げタップによれば、食付き部に隣接する平行ねじ部（２度までのバックテーパを持つものも含む）の、盛上げを安定させる例えば３山程度の盛上げ安定部がワークの下孔に入れば、それ以降ねじ立てが進んでも弾性変形分の雌ねじの縮径をガイド部の０．０３ｍｍ以上で０．０８ｍｍ以下の外径寸法差や３０分以上で２度以下の大きな角度のバックテーパが許容するため、雌ねじが盛上げタップを締め付ける力が増大しないので、ねじ立て長さが長い場合でもねじ立てトルクを低減させ得て、発熱や溶着を防止することができる。
【０００９】
しかも本発明の盛上げタップによれば、盛上げを安定させる盛上げ安定部があるので、ねじ山を充分に形成することができ、さらに、ガイド部の寸法差が０．０８ｍｍ以下であり、またはガイド部のバックテーパが２度以下であるので、ガイド部の案内機能を充分維持することができる。
【００１０】
なお、前記ガイド部は、盛上げ安定部と同様に周方向に沿って半径が変化するものであっても良いが、本発明の盛上げタップにおいては、前記ガイド部を、周方向に沿って一定の半径を持つねじとしても良く、このようにすれば、盛上げタップの製造時のガイド部の加工を容易に行い得るとともに、盛上げタップのガイド部の案内機能を高めることができる。
【００１１】
【発明の実施の形態】
以下に、この発明の実施の形態を実施例によって、図面に基づき詳細に説明する。ここに、図１は、本発明の盛上げタップの一実施例を示す概略正面図、図２は、その実施例の盛上げタップの中心軸線に沿う拡大断面図、図３は、その実施例の盛上げタップの平行ねじ部の、タップ先端側（図１の左方）から見たねじのリードに沿う断面図である。
【００１２】
この実施例の盛上げタップ１は、Ｍ３〜Ｍ３６の寸法の雌ねじの形成に適したもので、ねじ部２とそれより後方（図１では右方）のシャンク部とを具え、そのねじ部２は、先細りのテーパ状になっている食付き部３とその食付き部３に連続する平行ねじ部４とを有しており、その平行ねじ部４には、食付き部３に隣接して盛上げを安定させる例えば３山程度の盛上げ安定部４ａと、その盛上げ安定部４ａより後方のガイド部４ｂとを設けてある。
【００１３】
この実施例の盛上げタップ１における平行ねじ部４の、食付き部３に隣接する３山程度の盛上げ安定部４ａには、１０分程度の僅かな角度のバックテーパをつけ、その盛上げ安定部４ａより後方のガイド部４ｂには、雌ねじ加工するワークの弾性変形分に概ね相当する量である０．０３ｍｍ以上で０．０８ｍｍ以下程度の外径寸法差となる段差αを１回転分程度でつけるとともに１０分程度の僅かな角度のバックテーパをつけている。なお、段差αの大きさは、ワークの種類や形状及び寸法により変えて良く、段差αの付け方も、必ずしも盛上げタップ１回転分でつける必要はない。
【００１４】
またこの実施例の盛上げタップ１における平行ねじ部４のガイド部４ｂは、食付き部３におよびそこに隣接する図３に示す如き盛上げ安定部４ａと同様に、周方向に沿って半径が変化し、互いに９０度離間した４つの大径部とそれらの大径部の間の４つの小径部とを有している。
【００１５】
かかる実施例の盛上げタップ１によれば、食付き部３に隣接する平行ねじ部４の、盛上げを安定させる盛上げ安定部４ａがワークの下孔に入れば、それ以降ねじ立てが進んでも弾性変形分の雌ねじの縮径をガイド部４ｂの０．０３ｍｍ以上で０．０８ｍｍ以下の外径寸法差が許容するため、雌ねじが盛上げタップ１を締め付ける力が増大しないので、ねじ立て長さが長い場合でもねじ立てトルクを低減させ得て、発熱や溶着を防止することができる。
【００１６】
しかもこの実施例の盛上げタップ１によれば、盛上げを安定させる盛上げ安定部４ａがあるので、ねじ山を充分に形成することができ、さらにガイド部４ｂの寸法差が０．０８ｍｍ以下であるので、ガイド部４ｂの案内機能を充分維持することができる。
【００１７】
図４は、上記実施例の盛上げタップ１の一変形例の平行ねじ部４の、タップ先端側から見たねじのリードに沿う断面図であり、この変形例の盛上げタップ１におけるガイド部４ｂは、食付き部３におよびそこに隣接する盛上げ安定部４ａと異なり、周方向に沿って一定の半径を持つ通常のねじ形状となっている。このガイド部４ｂ以外は先の実施例と同一である。
【００１８】
かかる変形例の盛上げタップ１によれば、先の実施例と同様の作用効果を得ることができるのに加え、盛上げタップの製造時のガイド部の加工を容易に行い得るとともに、盛上げタップのガイド部の案内機能を高めることができる。
【００１９】
図５は、本発明の盛上げタップの他の一実施例の中心軸線に沿う拡大断面図であり、この実施例の盛上げタップも、Ｍ３〜Ｍ３６の寸法の雌ねじの形成に適したもので、ねじ部とそれより後方のシャンク部とを具え、そのねじ部は、先細りのテーパ状になっている食付き部３とその食付き部３に連続する平行ねじ部４とを有しており、その平行ねじ部４には、食付き部３に隣接して盛上げを安定させる例えば３山程度の盛上げ安定部４ａと、その盛上げ安定部４ａより後方のガイド部４ｂとを設けてある。
【００２０】
この実施例の盛上げタップにおける平行ねじ部４の、食付き部３に隣接する３山程度の盛上げ安定部４ａには、１０分程度の僅かな角度のバックテーパをつけ、その盛上げ安定部４ａより後方のガイド部４ｂには、雌ねじ加工するワークの弾性変形分に概ね相当するように３０分以上で２°以下程度の大きな角度θ１のバックテーパをつけている。なお、バックテーパ角度θ１の大きさは、ワークの種類や形状及び寸法により変えて良く、ワークの弾性変形分に概ね相当する量だけ盛上げ安定部４ａより小径になった後はバックテーパ角度をなくして中心軸線に平行にしても良い。
【００２１】
そしてこの実施例の盛上げタップにおけるガイド部４ｂは、食付き部３におよびそこに隣接する盛上げ安定部４ａと同様に周方向に沿って半径が変化するものでも良く、また食付き部３におよび盛上げ安定部４ａと異なり周方向に沿って一定の半径を持つものでも良い。
【００２２】
かかる実施例の盛上げタップ１によれば、食付き部３に隣接する平行ねじ部４の盛上げを安定させる盛上げ安定部４ａがワークの下孔に入れば、それ以降ねじ立てが進んでも弾性変形分の雌ねじの縮径をガイド部４ｂの３０分以上で２度以下の大きな角度のバックテーパが許容するため、雌ねじが盛上げタップ１を締め付ける力が増大することがないので、ねじ立て長さが長い場合でもねじ立てトルクを低減させ得て、発熱や溶着を防止することができる。
【００２３】
しかもこの実施例の盛上げタップ１によれば、盛上げを安定させる盛上げ安定部４ａがあるので、ねじ山を充分に形成することができ、さらにガイド部４ｂのバックテーパが２度以下であるので、ガイド部４ｂの案内機能を充分維持することができる。
【００２４】
以上図示例に基づき説明したが、本発明は上述の例に限定されるものでなく、特許請求の範囲の記載の範囲内で、例えば食付き部に隣接する盛上げ安定部の山数を増減させることやそれより後のガイド部の寸法差の取り方等の各種変更が可能であることはいうまでもない。
【００２５】
また本発明は、Ｍ３〜Ｍ３６以外の寸法の盛上げタップや、通常の油溝が付いている盛上げタップや、表面処理を行った盛上げタップにも適用できることはいうまでもない。
【図面の簡単な説明】
【図１】本発明の盛上げタップの一実施例を示す概略正面図である。
【図２】上記実施例の盛上げタップの中心軸線に沿う拡大断面図である。
【図３】上記実施例の盛上げタップの平行ねじ部の、タップ先端側から見たねじのリードに沿う断面図である。
【図４】上記実施例の盛上げタップの一変形例の平行ねじ部の、タップ先端側から見たねじのリードに沿う断面図である。
【図５】本発明の盛上げタップの他の一実施例の中心軸線に沿う拡大断面図である。
【図６】従来の盛上げタップの中心軸線に沿う拡大断面図である。
【符号の説明】
１  盛上げタップ
２  ねじ部
３  食付き部
４  平行ねじ部
４ａ  盛上げ安定部
４ｂ  ガイド部
α  平行ねじ部の盛上げ安定部とガイド部との段差
θ１  平行ねじ部のガイド部のバックテーパ角
【図１】
2004174607.tif 000003
【図２】
2004174607.tif 000004
【図３】
2004174607.tif 000005
【図４】
2004174607.tif 000006
【図５】
2004174607.tif 000007
【図６】
2004174607.tif 000008
【手続補正書】
【提出日】平成14年12月19日(2002.12.19)
【手続補正１】
【補正対象書類名】明細書
【補正対象項目名】請求項１
【補正方法】変更
【補正の内容】
【請求項１】
ねじ部が、先細りのテーパ状になっている食付き部とその食付き部に連続する平行ねじ部とを有する盛上げタップにおいて、
前記平行ねじ部に、前記食付き部に隣接して盛上げを安定させる盛上げ安定部とその盛上げ安定部より後方のガイド部とを設け、
前記ガイド部を０．０３ｍｍ以上で０．０８ｍｍ以下のねじ径寸法差で前記盛上げ安定部より細くしたことを特徴とする、盛上げタップ。
【手続補正２】
【補正対象書類名】明細書
【補正対象項目名】０００６
【補正方法】変更
【補正の内容】
【０００６】
【課題を解決するための手段およびその作用・効果】
上述した目的を達成するため、請求項１記載の本発明の盛上げタップは、ねじ部が、先細りのテーパ状になっている食付き部とその食付き部に連続する平行ねじ部とを有する盛上げタップにおいて、前記平行ねじ部に、前記食付き部に隣接して盛上げを安定させる盛上げ安定部とその盛上げ安定部より後方のガイド部とを設け、前記ガイド部を０．０３ｍｍ以上で０．０８ｍｍ以下のねじ径寸法差で前記盛上げ安定部より細くしたことを特徴としている。


【手続補正３】
【補正対象書類名】明細書
【補正対象項目名】０００８
【補正方法】変更
【補正の内容】
【０００８】
これら本発明の盛上げタップによれば、食付き部に隣接する平行ねじ部（２度までのバックテーパを持つものも含む）の、盛上げを安定させる例えば３山程度の盛上げ安定部がワークの下孔に入れば、それ以降ねじ立てが進んでも弾性変形分の雌ねじの縮径をガイド部の０．０３ｍｍ以上で０．０８ｍｍ以下のねじ径寸法差や３０分以上で２度以下の大きな角度のバックテーパが許容するため、雌ねじが盛上げタップを締め付ける力が増大しないので、ねじ立て長さが長い場合でもねじ立てトルクを低減させ得て、発熱や溶着を防止することができる。


【手続補正４】
【補正対象書類名】明細書
【補正対象項目名】０００９
【補正方法】変更
【補正の内容】
【０００９】
しかも本発明の盛上げタップによれば、盛上げを安定させる盛上げ安定部があるので、ねじ山を充分に形成することができ、さらに、ガイド部のねじ径寸法差が０．０８ｍｍ以下であり、またはガイド部のバックテーパが２度以下であるので、ガイド部の案内機能を充分維持することができる。


【手続補正５】
【補正対象書類名】明細書
【補正対象項目名】００１３
【補正方法】変更
【補正の内容】
【００１３】
この実施例の盛上げタップ１における平行ねじ部４の、食付き部３に隣接する３山程度の盛上げ安定部４ａには、１０分程度の僅かな角度のバックテーパをつけ、その盛上げ安定部４ａより後方のガイド部４ｂには、雌ねじ加工するワークの弾性変形分に概ね相当する量である０．０３ｍｍ以上で０．０８ｍｍ以下程度のねじ径寸法差となる段差αを１回転分程度でつけるとともに１０分程度の僅かな角度のバックテーパをつけている。なお、段差αの大きさは、ワークの種類や形状及び寸法により変えて良く、段差αの付け方も、必ずしも盛上げタップ１回転分でつける必要はない。


【手続補正６】
【補正対象書類名】明細書
【補正対象項目名】００１５
【補正方法】変更
【補正の内容】
【００１５】
かかる実施例の盛上げタップ１によれば、食付き部３に隣接する平行ねじ部４の、盛上げを安定させる盛上げ安定部４ａがワークの下孔に入れば、それ以降ねじ立てが進んでも弾性変形分の雌ねじの縮径をガイド部４ｂの０．０３ｍｍ以上で０．０８ｍｍ以下のねじ径寸法差が許容するため、雌ねじが盛上げタップ１を締め付ける力が増大しないので、ねじ立て長さが長い場合でもねじ立てトルクを低減させ得て、発熱や溶着を防止することができる。


【手続補正７】
【補正対象書類名】明細書
【補正対象項目名】００１６
【補正方法】変更
【補正の内容】
【００１６】
しかもこの実施例の盛上げタップ１によれば、盛上げを安定させる盛上げ安定部４ａがあるので、ねじ山を充分に形成することができ、さらにガイド部４ｂのねじ径寸法差が０．０８ｍｍ以下であるので、ガイド部４ｂの案内機能を充分維持することができる。